(57)【特許請求の範囲】
【請求項１】
感光体表面に形成したトナー像を記録シートに転写し、前記記録シート上のトナー像を画像形成装置内の定着装置により定着した後にその記録シートをシート排出口から排出する画像形成装置に連結・離脱可能に連結される定着用オプション装置であって、次の構成要件（Ａ01）〜（Ａ06）を備えたことを特徴とする定着用オプション装置、
（Ａ01）前記画像形成装置と連結された状態において前記画像形成装置から排出される記録シートが搬入されるシート搬入口、
（Ａ02）前記シート搬入口から搬入された記録シートを排出するシート排出口、
（Ａ03）前記シート搬入口から搬入された記録シートを前記シート排出口に搬送する第１シート搬送路および第２シート搬送路、
（Ａ04）前記シート搬入口から搬入された記録シートを前記第１シート搬送路に搬送する第１切替位置と第２シート搬送路に搬送する第２切替位置との間で移動可能な搬送路切替部材、
（Ａ05）前記第２シート搬送路を搬送される記録シート上のトナー像を加熱定着する定着装置、
（Ａ06）前記搬送路切替信号に応じて前記搬送路切替部材を第１切替位置または第２切替位置に移動させる切替部材作動部材。
【請求項２】
次の構成要件（Ａ07）を備えたことを特徴とする請求項１記載の定着用オプション装置、
（Ａ07）前記第２シート搬送路を搬送される記録シート上のトナー像を加熱定着する定着ベルトを有するベルト式定着装置により構成された前記定着装置。
【請求項３】
次の構成要件（Ａ08）を備えたことを特徴とする請求項１または２記載の定着用オプション装置、
（Ａ08）前記シート搬入口から搬入された記録シートが前記第２搬送路の前記定着装置を通過する際のシート搬送速度を前記搬入時のシート搬送速度よりも減速させて光沢画像を形成する際の定着速度に対応したシート搬送速度に変更するシート搬送速度制御手段。
【請求項４】
次の構成要件（Ａ09）を備えたことを特徴とする請求項１ないし３いずれか記載の定着用オプション装置、
（Ａ09）前記画像形成装置の排出ローラと前記第２シート搬送路の定着装置との間のシート搬送距離が、使用される最大サイズの記録シートの搬送方向の長さよりも長く構成された前記第２シート搬送路。
【請求項５】
次の構成要件（Ａ010）を備えたことを特徴とする請求項１ないし４いずれか記載の定着用オプション装置、
（Ａ010）前記第２シート搬送路の定着装置のシート搬送方向上流側の定着領域近傍に配置されて、記録シートの先端を検知するシートセンサ。
【発明の詳細な説明】
【０００１】
【発明の属する技術分野】
本発明は、複写機、プリンタ、ファクシミリ等の画像形成装置に連結され、前記画像形成装置から排出される記録シートのトナー像を定着する定着用オプション装置に関する。
【０００２】
【従来の技術】
従来、画像形成装置において、例えばカラー画像と黒単色画像のように異なる画質の定着を実施する場合や、普通紙やＯＨＰのように異なる種類の記録材を定着する場合には、加熱ロールの表面温度を変えたり、定着ロール（加熱ロールおよび加圧ロール）の回転速度を変えることで対応していた。しかしながら顧客の好みの画質、特にグロス（光沢）などを各人の要求値に変化させることは一つの定着装置では非常に難しく、その解決策として定着装置を複数設けて定着像の仕上がりにバリエーションをもたせた構成が各種提案されている。
【０００３】
この種の定着装置として従来、次の技術（Ｊ01）が知られている。
（Ｊ01）特開平１１−２４２４００号公報等に記載の技術
この公報には、グロスの高い画質にて写真画質に近いイメージを得るために複数の定着装置を設け、そのうち１つをベルト式定着装置とし、前記ベルト定着装置を画像形成装置本体に対して着脱可能に構成したものが提案されている。
【０００４】
【発明が解決しようとする課題】
（前記（Ｊ01）の問題点）
前記従来技術（Ｊ01）のように、定着装置を複数設けて画質のバリエーションを増やすためには、画像形成装置置本体に通常の定着済の記録シート排出搬送路と、前記通常の定着済の記録シートを第２定着装置に搬送する搬送路と、搬送路切替装置とを設けなければならない。
また、画像形成装置本体に、通常の定着済の記録シート排出搬送路と、前記通常の定着済の記録シートを第２定着装置に搬送する搬送路と、搬送路切替装置とを設けなければならないので、画像形成装置本体の構成も複雑化して大型になって、その分コストもかかるという問題がある。
【０００５】
本発明は、前述の事情に鑑み、次の記載内容（Ｏ01）、（Ｏ02）を課題とする。
（Ｏ01）光沢トナー像を定着できない画像形成装置で光沢トナー像を形成できるようにすること。
（Ｏ02）画像形成装置の通常使用するシート排出口から排出される記録シートのトナー像に対して所望の定着を行える定着用オプション装置を提供すること。
【０００６】
【課題を解決するための手段】
次に、前記課題を解決した本発明を説明するが、本発明の要素には、後述の実施例の要素との対応を容易にするため、実施例の要素の符号をカッコで囲んだものを付記する。また、本発明を後述の実施例の符号と対応させて説明する理由は、本発明の理解を容易にするためであり、本発明の範囲を実施例に限定するためではない。
【０００７】
（第１発明）
前記課題を解決するために、第１発明の定着用オプション装置は、感光体（ＰＲ）表面に形成したトナー像を記録シート（Ｓ）に転写し、前記記録シート（Ｓ）上のトナー像を画像形成装置（Ｕ１）内の定着装置（Ｆ′））により定着した後にその記録シート（Ｓ）をシート排出口から排出する画像形成装置（Ｕ１）に連結・離脱可能に連結される定着用オプション装置（Ｕ４）であって、次の構成要件（Ａ01）〜（Ａ06）を備えたことを特徴とする、
（Ａ01）前記画像形成装置（Ｕ１）と連結された状態において前記画像形成装置（Ｕ１）から排出される記録シート（Ｓ）が搬入されるシート搬入口（２ａ）、
（Ａ02）前記シート搬入口（２ａ）から搬入された記録シート（Ｓ）を排出するシート排出口（３ａ，４ａ；３ｂ）、
（Ａ03）前記シート搬入口（２ａ）から搬入された記録シート（Ｓ）を前記シート排出口（３ａ，４ａ；３ｂ）に搬送する第１シート搬送路（ＳＨ６）および第２シート搬送路（ＳＨ７）、
（Ａ04）前記シート搬入口（２ａ）から搬入された記録シート（Ｓ）を前記第１シート搬送路（ＳＨ６）に搬送する第１切替位置と第２シート搬送路（ＳＨ７）に搬送する第２切替位置との間で移動可能な搬送路切替部材（Ｇ３）、
（Ａ05）前記第２シート搬送路（ＳＨ７）を搬送される記録シート上のトナー像を加熱定着する定着装置（Ｆ）、
（Ａ06）前記搬送路切替信号に応じて前記搬送路切替部材（Ｇ３）を第１切替位置または第２切替位置に移動させる切替部材作動部材（ＳＬ）。
【０００８】
（第１発明の作用）
前記構成を備えた第１発明の定着用オプション装置では、画像形成装置（Ｕ１）と連結された状態においてシート搬入口（２ａ）は前記画像形成装置（Ｕ１）から排出される記録シート（Ｓ）が搬入される。切替部材作動部材（ＳＬ）は搬送路切替信号に応じて搬送路切替部材（Ｇ３）を第１切替位置または第２切替位置に移動させる。
第１切替位置に移動した搬送路切替部材（Ｇ３）は、前記シート搬入口（２ａ）から搬入された記録シート（Ｓ）を第１シート搬送路（ＳＨ６）に搬送させる。第１シート搬送路（ＳＨ６）は、前記シート搬入口（２ａ）から搬入された記録シート（Ｓ）を定着装置（Ｆ）を通過させずにシート排出口（４ａ；３ｂ）に搬送する。
第２切替位置に移動した搬送路切替部材（Ｇ３）は、前記シート搬入口（２ａ）から搬入された記録シート（Ｓ）を第２シート搬送路（ＳＨ７）に搬送させる。第２シート搬送路（ＳＨ７）は、前記シート搬入口（２ａ）から搬入された記録シート（Ｓ）を定着装置（Ｆ）を通過させてからシート排出口（４ａ；３ｂ）に搬送する。
前記第２シート搬送路（ＳＨ７）を通過する記録シートのトナー像は、定着装置（Ｆ）により、適切に設定した所定の定着速度で定着することができるので、光沢の有るトナー像を得ることができる。
第１発明の定着用オプション装置は、画像形成装置の通常使用するシート排出口（Ｋａ）から排出される記録シートのトナー像に対して所望の定着を行うことができる。また、光沢トナー像を定着できない画像形成装置で光沢トナー像を形成することができるようになる。
【０００９】
（第２発明）
第２発明の定着用オプション装置は、前記第１発明において下記の構成要件（Ａ07）を備えたことを特徴とする、
（Ａ07）前記第２シート搬送路（ＳＨ７）を搬送される記録シート上のトナー像を加熱定着する定着ベルト（Ｂｔ）を有するベルト式定着装置により構成された前記定着装置（Ｆ）。
（第２発明の作用）
前記構成を備えた第２発明の定着用オプション装置では、定着ベルト（Ｂｔ）を有する定着装置（Ｆ）を使用するので、光沢の優れたトナー像を得ることができる。
【００１０】
（第３発明）
第３発明の定着用オプション装置は、前記第１発明または第２発明において下記の構成要件（Ａ08）を備えたことを特徴とする、
（Ａ08）前記シート搬入口（２ａ）から搬入された記録シートが前記第２搬送路（ＳＨ７）の前記定着装置（Ｆ）を通過する際のシート搬送速度を前記搬入時のシート搬送速度よりも減速させて光沢画像を形成する際の定着速度に対応したシート搬送速度に変更するシート搬送速度制御手段（Ｃ２）。
（第３発明の作用）
前記構成を備えた第３発明の定着用オプション装置では、シート搬送速度制御手段（Ｃ２）は、前記シート搬入口（２ａ）から搬入された記録シートが前記第２搬送路（ＳＨ７）の前記定着装置（Ｆ）を通過する際のシート搬送速度を前記搬入時のシート搬送速度よりも減速させて光沢画像を形成する際の定着速度に対応したシート搬送速度に変更する。したがって、定着用オプション装置（Ｕ３）は、定着装置（Ｆ）を通過する記録シートの搬送速度とは独立に、シート搬入口（２ａ）から搬入される記録シートのシート搬入速度を調節することができる。すなわち、定着用オプション装置はシート搬入口（２ａ）から搬入された記録シートの搬送速度を、画像形成装置（Ｕ１）から排出されるシート排出速度に対応して設定することができる。したがって、画像形成装置（Ｕ１）は、定着用オプション装置（Ｕ３）のシート搬送速度を考慮することなく、画像形成動作時のシート搬送速度の制御を行うことができる。
【００１１】
（第４発明）
本発明の第４発明の定着用オプション装置（Ｕ４）は、前記第１ないし第３発明のいずれかにおいて下記の構成要件（Ａ09）を備えたことを特徴とする、
（Ａ09）前記画像形成装置（Ｕ１）の排出ローラ（Ｒｈ）と前記第２シート搬送路（ＳＨ７）の定着装置（Ｆ）との間のシート搬送距離が、使用される最大サイズの記録シートの搬送方向の長さよりも長く構成された前記第２シート搬送路。
【００１２】
（第４発明の作用）
前記構成を備えた本発明の第４発明の定着用オプション装置では、記録シート（Ｓ）の後端が排出ローラ（Ｒｈ）を通過した後に、記録シート（Ｓ）の先端が定着装置（Ｆ）の定着領域（Ｑ５）に達する。
したがって、定着用オプション装置(Ｕ３)のシート搬送速度を次のように制御することができる。
（１）記録シート（Ｓ）の後端が排出ローラ（Ｒｈ）を通過するまでは定着用オプション装置（Ｕ３）のシート搬送速度を画像形成装置（Ｕ１）のシート搬送速度と同一にして、画像形成装置（Ｕ１）から定着用オプション装置（Ｕ３）への記録シートの排出を確実に且つスムースに行うことができる。
（２）記録シート（Ｓ）の後端が排出ローラ（Ｒｈ）を通過した後で、記録シートの先端が定着装置（Ｆ）の定着領域（Ｑ５）に到達する前に、シート搬送速度を減速して所望の定着速度に対応したシート搬送速度に変更することができる。
【００１３】
（第５発明）
本発明の第５発明の定着用オプション装置（Ｕ４）は、前記本発明の第４発明において下記の構成要件（Ａ010）を備えたことを特徴とする、
（Ａ010）前記第２シート搬送路（ＳＨ７）の定着装置（Ｆ）のシート搬送方向上流側の定着領域（Ｑ５）近傍に配置されて、記録シート（Ｓ）の先端を検知するシートセンサ（ＳＮ１）。
【００１４】
（第５発明の作用）
前記構成を備えた本発明の第５発明の定着用オプション装置では、搬送される記録シート（Ｓ）が定着装置（Ｆ）の定着領域（Ｑ５）に達する前に、シートセンサ（ＳＮ１）がシート搬送方向上流側で記録シート（Ｓ）の先端を検知できる。記録シート（Ｓ）の検知信号に基づいて記録シートの後端が画像形成装置（Ｕ１）の排出ローラ（Ｒｈ）を通過したか否かを検出することが可能となる。
前記記録シートの後端が画像形成装置（Ｕ１）の排出ローラ（Ｒｈ）を通過した後に、定着用オプション装置（Ｕ３）内の記録シートの搬送速度を減速して光沢画像を形成できる定着速度に対応したシート搬送速度に変更することができる。
【００１５】
【発明の実施の形態】
（実施の形態１）
本発明の実施の形態１の定着用オプション装置（Ｕ４）は、前記第１ないし第５本発明のいずれかにおいて下記の構成要件（Ａ011）を備えたことを特徴とする、
（Ａ011）前記第１シート搬送路（ＳＨ６）および第２シート搬送路（ＳＨ７）のシート搬送方向下流側に接続されて前記両シート搬送路（ＳＨ６，ＳＨ７）を搬送された記録シートを排出するシート排出口（３ｂ）。
【００１６】
（実施の形態１の作用）
前記構成を備えた本発明の実施の形態１の定着用オプション装置では、前記定着用オプション装置（Ｕ３）のシート排出口（３ｂ）に、後処理装置（定着トナー像が形成された記録シートに対する処理（例えば、仕分け作業、綴じ作業、孔開け作業等）を行う装置）（Ｕ４）のシート搬入口（２１）を接続して使用することができる。
その場合、定着用オプション装置（Ｕ３）の第１搬送路（ＳＨ６）を搬送された記録シートおよび第２搬送路（ＳＨ７）を搬送されて定着装置（Ｆ）により定着された記録シートに対して、後処理作業を行うことができる。
【００１７】
（実施の形態２）
実施の形態２の定着用オプション装置は、前記第１ないし第５発明のいずれかまたは実施の形態１において下記の構成要件（Ａ012）を備えたことを特徴とする。
（Ａ012）前記搬送路切替部材（Ｇ３）の切替動作を指示する際に入力される定着実行指定スイッチ（ＵＩｃ）であって、入力されたときに前記搬送路切替信号を出力する前記定着実行指定スイッチ（ＵＩｃ）。
（実施の形態２の作用）
前記構成を備えた実施の形態２の定着用オプション装置では、前記定着実行指定スイッチ（ＵＩｃ）の入力に応じて所定の切替位置に前記搬送路切替部材（Ｇ３）を移動させることができるので、シート搬入口（２ａ）から搬入された記録シートに光沢のある定着を行ったり、行わなかったすることが自由に選択できる。このため、定着用オプション装置（Ｕ３）に接続された画像形成装置（Ｕ１）に光沢モード選択キー（ＵＩ4）が無い場合でも、前記定着用オプション装置（Ｕ３）の定着実行指定スイッチ（ＵＩｃ）を入力することにより光沢トナー像を形成することが可能になる。
【００１８】
（実施の形態３）
実施の形態３の定着用オプション装置は、前記第１ないし第５発明のいずれかまたは実施の形態１もしくは２において下記の構成要件（Ａ013），（Ａ014）を備えたことを特徴とする。
（Ａ013）前記画像形成装置（Ｕ１）との接続時に画像形成装置（Ｕ１）の本体側接続端子（Ｔ′）と接続され、前記画像形成装置（Ｕ１）から出力される定着動作指令信号が入力されるオプション側接続端子（Ｔ）、
（Ａ014）前記オプション側接続端子（Ｔ）に定着動作指令信号が入力されたときに搬送路切替信号を出力する搬送路切替制御手段（Ｃ１）。
【００１９】
（実施の形態３の作用）
前記構成を備えた実施の形態３の定着用オプション装置では、画像形成装置（Ｕ１）と連結された状態においてシート搬入口（２ａ）は前記画像形成装置（Ｕ１）から排出される記録シート（Ｓ）が搬入される。また、定着用オプション装置（Ｕ３）のオプション側接続端子（Ｔ）は、画像形成装置（Ｕ１）の本体側接続端子（Ｔ′）と接続され、前記画像形成装置（Ｕ１）から出力される定着動作指令信号が入力される。搬送路切替制御手段（Ｃ１）は、前記オプション側接続端子（Ｔ）に定着動作指令信号が入力されたときに搬送路切替信号を出力する。搬送路切替信号の出力時には切替部材作動部材（ＳＬ）は、所定の切替位置に前記搬送路切替部材（Ｇ３）を移動させる。
したがって、実施の形態３の定着用オプション装置（Ｕ３）は、画像形成装置（Ｕ１）の通常使用するシート排出口から排出される記録シートのトナー像に対して所望の定着を行うことができる。また、光沢トナー像を定着できない画像形成装置で光沢トナー像を形成することが可能になる。
【００２０】
【実施例】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、左方、右方、上方、下方、または、前側、後側、左側、右側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【００２１】
（実施例１）
図１は本発明の定着用オプション装置の実施例１が接続された画像形成装置の説明図である。
図２は画像形成装置に接続された本発明の定着用オプション装置の実施例１の説明図である。
図３は画像形成装置およびそれに接続された本発明の定着用オプション装置の実施例１の制御部のブロック線図である。
図１、図２において、複写機により構成された画像形成装置Ｕ１の上端のプラテンガラスＰＧ上は自動原稿搬送装置Ｕ２が載置されている。
前記自動原稿搬送装置Ｕ２は、複写しようとする複数の原稿Ｇｉが重ねて載置される原稿給紙トレイＴＧ1を有している。前記原稿給紙トレイＴＧ1に載置された複数の各原稿Ｇｉは順次プラテンガラスＰＧ上の複写位置を通過して原稿排紙トレイＴＧ２に排出されるように構成されている。前記自動原稿搬送装置Ｕ２は、その後端部（−Ｘ端部）に設けた左右方向に延びるヒンジ軸（図示せず）により前記複写機Ｕ1に対して回動可能であり、原稿Ｇｉを作業者が手でプラテンガラスＰＧ上に置く際に上方に回動される。
【００２２】
前記画像形成装置Ｕ１は、ユーザがコピースタート等の作動指令信号を入力操作するＵＩ′（ユーザインタフェース）を有している。
図３において、前記ＵＩ′は、電源スイッチＵＩ1、表示器ＵＩ2、コピースタートキーＵＩ3、光沢モード選択キー（光沢モードで画像記録を行う場合に入力するキー）ＵＩ4、両面印刷モード選択キー（両面印刷を行う場合に入力するキー）ＵＩ5、その他図示しないコピー枚数設定キー、テンキー等の入力キー等を有している。また、前記表示器ＵＩ2には画像形成装置Ｕ１の現在の設定状態に関する情報の表示等が行われるようになっている。
【００２３】
画像形成装置Ｕ１上面の透明なプラテンガラスＰＧの下方に配置された原稿読取装置としてのＩＩＴは、プラテンレジ位置（ＯＰＴ位置）に配置された露光系レジセンサ（プラテンレジセンサ）Ｓp、および露光光学系Ａを有している。
前記露光光学系Ａは、その移動および停止が露光系レジセンサＳpの検出信号により制御され、常時はホーム位置に停止している。
前記自動原稿搬送装置Ｕ２によりプラテンガラスＰＧ上面の露光位置を通過する原稿Ｇｉまたは手動でプラテンガラスＰＧ上に置かれた原稿からの反射光は、前記露光光学系Ａを介して、ＣＣＤ（固体撮像素子）でＲ（赤）、Ｇ（緑）、Ｂ（青）の電気信号に変換される。
【００２４】
ＩＰＳ（イメージプロセッシングシステム）は、ＣＣＤから入力される前記ＲＧＢの電気信号をＫ（黒）、Ｙ（イエロー）、Ｍ（マゼンタ）、Ｃ（シアン）の画像データに変換して一時的に記憶し、前記画像データを所定のタイミングで潜像形成用の画像データとしてレーザ駆動回路ＤＬに出力する。
レーザ駆動回路ＤＬは、入力された画像データに応じてレーザ駆動信号をＲＯＳ（潜像形成装置）に出力する。
【００２５】
感光体ドラムにより構成される像担持体ＰＲは矢印Ｙa方向に回転しており、その表面は、除電器ＪＲにより除電され、次に帯電器ＣＲにより一様に帯電された後、潜像書込位置Ｑ１において前記ＲＯＳ（潜像形成装置）のレーザビームＬにより露光走査されて静電潜像が形成される。フルカラー画像を形成する場合は、Ｋ（黒），Ｙ（イエロー），Ｍ（マゼンタ），Ｃ（シアン）の４色の画像に対応した静電潜像が順次形成され、モノクロ画像の場合はＫ（黒）画像に対応した静電潜像のみが形成される。
【００２６】
前記静電潜像が形成された像担持体ＰＲ表面は回転移動して現像領域Ｑ２、１次転写領域Ｑ３を順次通過する。
ロータリ式の現像装置Ｇは、回転軸Ｇａの回転に伴って前記現像領域Ｑ２に順次回転移動するＫ（黒），Ｙ（イエロー），Ｍ（マゼンタ），Ｃ（シアン）の４色の現像器ＧK，ＧY，ＧM，ＧCを有している。前記各色の現像器ＧK，ＧY，ＧM，ＧCは、前記現像領域Ｑ２に現像剤を搬送する現像ロールＧＲを有しており、現像領域Ｑ２を通過する像担持体ＰＲ上の静電潜像をトナー像に現像する。
前記各現像器ＧK，ＧY，ＧM，ＧCにはトナーカートリッジＴｃ（図１、図２参照）から新規トナーが補給されるように構成されている。
【００２７】
前記像担持体ＰＲの下方には中間転写ベルトＢと、ベルト駆動ロールＲｄ、テンションロールＲｔ、ウォーキングロールＲｗ、アイドラロール（フリーロール）ＲｆおよびバックアップロールＴ２aを含む複数のベルト支持ロール（Ｒｄ，Ｒｔ，Ｒｗ，Ｒｆ，Ｔ２a）と、１次転写ロールＴ１と、それらを支持するベルトフレーム（図示せず）とを有している。
そして、前記中間転写ベルトＢは前記ベルト支持ロール（Ｒｄ，Ｒｔ，Ｒｗ，Ｒｆ，Ｔ２a）により回転移動可能に支持されている。
【００２８】
フルカラー画像を形成する場合、潜像書込位置Ｑ１において第１色目の静電潜像が形成され、現像領域Ｑ２において１色目のトナー像Ｔｎが形成される。このトナー像Ｔｎは、１次転写領域Ｑ３を通過する際に、１次転写ロールＴ１によって中間転写ベルトＢ上に静電的に１次転写される。その後同様にして、第１色目のトナー像Ｔｎを担持した中間転写ベルトＢ上に、第２色目、第３色目、第４色目のトナー像Ｔｎが順次重ねて１次転写され、最終的にフルカラーの多重トナー像が中間転写ベルトＢ上に形成される。
単色のモノカラー画像を形成する場合には１個の現像器のみを使用し、単色トナー像が中間転写ベルトＢ上に１次転写される。
１次転写後、像担持体ＰＲ表面は、残留トナーが除電器ＪＲにより除電され、像担持体クリーナＣＬ1によりクリーニングされる。
【００２９】
前記バックアップロールＴ２aの下方には、２次転写ロールＴ２bが前記バックアップロールＴ２aに対して離隔した位置と接触した位置との間で移動可能に配置されている。前記バックアップロールＴ２aおよび２次転写ロールＴ２bの接触領域により２次転写領域Ｑ４が形成されている。
前記バックアップロールＴ２aには、現像装置Ｇで使用するトナーの帯電極性と逆極性の２次転写電圧が電源回路Ｅ（図１、図２参照）から供給され、前記電源回路ＥはコントローラＣにより制御される。
【００３０】
給紙トレイＴＲ1またはＴＲ2に収容された記録シートＳは、所定のタイミングでピックアップロールＲpにより取り出され、さばきロールＲsで１枚づつ分離されて、給紙路ＳＨ１の複数の搬送ロールＲａによりレジロールＲrに搬送される。前記レジロールＲrに搬送された記録シートＳは、前記１次転写された多重トナー像または単色トナー像が２次転写領域Ｑ4に移動するのにタイミングを合わせて、転写前シートガイドＳＧ1から２次転写領域Ｑ4に搬送される。
前記２次転写領域Ｑ4において前記２次転写器Ｔ2は、中間転写ベルトＢ上のトナー像を記録シートＳに静電的に２次転写する。２次転写後の中間転写ベルトＢはベルトクリーナＣＬ2により残留トナーが除去される。
【００３１】
なお、前記２次転写ロールＴ２bおよびベルトクリーナＣＬ2は、中間転写ベルトＢと離接（離隔および接触）自在に配設されており、カラー画像が形成される場合には最終色の未定着トナー像が中間転写ベルトＢに１次転写されるまで、中間転写ベルトＢから離隔している。なお、前記２次転写ロールクリーナＣＬ3は、前記２次転写ロールＴ２bと一緒に中間転写ベルトＢに対して離接移動を行う。
【００３２】
トナー像が２次転写された前記記録シートＳは、転写後シートガイドＳＧ２、シート搬送ベルトＢＨにより定着領域Ｑ５に搬送される。定着領域Ｑ５は定着装置Ｆ′の加熱ロールＦｈ′と加圧ロールＦｐ′とが圧接する領域（ニップ）であり、定着領域Ｑ５を通過する記録シートは、定着装置Ｆ′により加熱定着される。前記加熱ロールＦｈ′は、ＳＵＳ等の金属パイプ表面に耐熱ゴムの耐熱弾性層が形成されるとともに、内部にたとえば、６００Ｗのヒータが配置されており、加熱ロールＦｈ′の表面が約１６０度に加熱される。加圧ロールＦｐ′はＳＵＳ等の金属パイプ表面に離型性樹脂層が形成されている。前記加熱ロールＦｈ′の外周面で、定着領域Ｑ５よりも回転方向上流側には、オイル塗布装置によりシート剥離用のオイルが塗布される。前記加熱ロールＦｈ′および加圧ロールＦｐ′の周りで、定着領域Ｑ５よりも回転方向下流側には、加熱ロールＦｈ′表面をクリーニングする装置が接触配置されている。
【００３３】
トナー像が定着された記録シートＳは、定着領域Ｑ５下流側のシート排出路ＳＨ２によりシート排出ローラＲｈに搬送され、画像形成装置Ｕ１の側壁に形成されたシート排出口Ｋａから外部に排出される。
シート排出路ＳＨ２には排出ローラＲｈの上流側領域にシート反転路ＳＨ３が接続されており、その接続部には切替ゲートＧ１が設けられている。前記切替ゲートＧ１はシート排出路ＳＨ２を搬送されてきた記録シートを、前記排出ローラＲｈ側またはシート反転路ＳＨ３側のいずれかに選択的に切り替える。
【００３４】
前記シート反転路ＳＨ３にはシート循環路ＳＨ４が接続されており、その接続部には切替ゲートＧ２が設けられている。前記切替ゲートＧ２は前記切替ゲートＧ１からシート反転路ＳＨ３を搬送されてきたシートをそのまま通過させるとともに、一旦通過してからスイッチバックして来た記録シートを、シート循環路ＳＨ４側に向かわせる。シート循環路ＳＨ４に搬送されたシートは前記給紙路ＳＨ１を通って前記転写領域Ｑ４に再送される。前記符号ＳＨ１〜ＳＨ４で示された要素によりシート搬送路ＳＨが構成されている。また、前記符号Ｒp，Ｒs，Ｒr，Ｒａ，ＳＧ1，ＳＧ２，ＢＨで示された要素によりシート搬送装置ＳＨが構成されている。
【００３５】
（定着用オプション装置）
図２に示すように、前記画像形成装置Ｕ１に連結されている定着用オプション装置Ｕ３は、ケース１を有している。ケース１の左側壁２には、前記画像形成装置Ｕ１のシート排出口Ｋａの位置に合わせてシート搬入口２ａが形成されている。シート搬入口２ａには搬入ローラＲjが設けられている。ケース１の右側壁３にはシート排出口３ａが形成されており、ケース１の上面にはシート排出口４ａを有するシート排出壁４と上面排出トレイ５とが設けられている。
【００３６】
前記左側壁２のシート搬入口２ａから搬入された記録シートは搬送ローラＲ１および切替ゲート（搬送路切替部材）Ｇ３により、第１シート搬送路ＳＨ6または第２シート搬送路ＳＨ７のいずれかに選択的に搬送される。前記切替ゲートＧ３はソレノイド（切替部材作動部材）ＳＬ（図３参照）により作動する。
第１シート搬送路ＳＨ6は前記シート排出壁４のシート排出口４ａに接続されており、シート排出口４ａの内側にはシート排出ローラＲ２が配置されている。前記第２シート搬送路ＳＨ７には上流側から搬送ローラＲ３、Ｒ４、定着装置Ｆ、および排出ローラＲ５が配置されている。排出ローラＲ５は、前記右側壁３のシート排出口３ａの内側に接続されており、第２シート搬送路ＳＨ７を搬送されてきた記録シートをシート排出口３ａから排出トレイＴＲ5に排出する。
【００３７】
前記ベルト式定着装置Ｆは、加熱ロールＦｈおよび加圧ロールＦｐを有している。加熱ロールＦｈは、金属パイプ表面に耐熱ゴムの耐熱性弾性層が形成され、その内部にヒータが配置されている。加圧ロールＦｐは、加熱ロールＦｈと同様に、金属パイプ表面に離型性樹脂層が形成され、その内部にヒータが配置されている。
前記加熱ロールＦｈの軸に回転可能に支持された定着ベルト支持フレーム８の自由端にはテンションロールＦｔが回転可能に支持されている。前記加熱ロールＦｈおよびテンションロールＦｔには定着ベルトＢｔが巻き掛けられている。前記定着ベルトＢｔと加圧ロールＦｐとの圧接領域（ニップ）により定着領域Ｑ６が形成されている。前記定着領域Ｑ６のシート搬送方向下流側にはシートガイド９が設けられている。
【００３８】
なお、加熱ロールＦｈはモータＭ１（図３参照）によって回転し、前記加熱ロールＦｈの回転に伴って定着ベルトＢｔが回転するようになっている。
前記加熱ロールＦｈに支持されている定着ベルトＢｔの周りで、定着領域Ｑ６よりも定着ベルトＢｔの移動方向上流に定着ベルトＢｔ表面をクリーニングするベルトクリーナ１１が設けられている。前記テンションロールＦｔに支持されている部分の定着ベルトＢｔの周りに、剥離爪１２が設けられており、剥離爪１２はその先端が定着ベルトＢｔ表面に接触して記録シートＳを定着ベルトＢｔから剥離させる。
【００３９】
前記第２シート搬送路ＳＨ７には、前記ベルト式定着装置Ｆの上流側にシートセンサＳＮ１が配置されており、下流側にシートセンサＳＮ２が配置されている。
前記画像形成装置Ｕ１の排出ローラＲｈと前記シートセンサＳＮ１との間のシート搬送路の距離は、使用される最大サイズの記録シートの長さよりも長く設定されている。すなわち、前記画像形成装置Ｕ１の排出ローラＲｈと前記ベルト式定着装置Ｆとの間のシート搬送路の距離は、使用される最大サイズの記録シートの長さよりも長く設定されている。このため、シートセンサＳＮ１が記録シートの先端を検出したときには、その記録シートの後端は前記画像形成装置Ｕ１の排出ローラＲｈを通過したことになる。
したがって、シートセンサＳＮ１が記録シートの先端を検出するまでは、シート搬送部材（搬入ローラＲ１、排出ローラＲ２、搬送ローラＲ３、搬送ローラＲ４、排出ローラＲ５、加熱ロールＦｈおよび定着ベルトＢｔ）のシート搬送速度を画像形成装置Ｕ１の排出ローラＲｈと同じにしておいて、シートセンサＳＮ１が記録シートの先端を検出してから前記シート搬送部材（Ｒ１，Ｒ２，Ｒ３，Ｒ４，Ｒ５，ＦｈおよびＢｔ）のシート搬送速度を変更しても、画像形成装置Ｕ１の動作に影響を及ぼすことはない。
したがって、前記シートセンサＳＮ１が記録シートの先端を検出してから前記シート搬送部材（Ｒ１，Ｒ２，Ｒ３，Ｒ４，Ｒ５，ＦｈおよびＢｔ）のシート搬送速度を、光沢定着速度（光沢を得るのに適した定着速度）に応じたシート搬送速度に変更することにより、画像形成装置Ｕ１の動作に影響を及ぼすことなく、光沢画像を得ることが可能となる。
【００４０】
（実施例１の制御部の説明）
図３は本発明の実施例１の定着用オプション装置およびそれが接続された画像形成装置の制御部のブロック線図である。
図３において、画像形成装置Ｕ１はコントローラＣ′および本体側接続端子Ｔ′を有している。また、定着用オプション装置はコントローラＣおよびオプション側接続端子Ｔを有している。前記コントローラＣ′およびＣはいずれも、外部との信号の入出力および入出力信号レベルの調節等を行うＩ／Ｏ（入出力インターフェース）、必要な処理を行うためのプログラムおよびデータ等が記憶されたＲＯＭ（リードオンリーメモリ）、必要なデータを一時的に記憶するためのＲＡＭ（ランダムアクセスメモリ）、前記ＲＯＭに記憶されたプログラムに応じた処理を行うＣＰＵ（中央演算処理装置）、ならびにクロック発振器等を有するコンピュータにより構成されており、前記ＲＯＭに記憶されたプログラムを実行することにより種々の機能を実現することができる。
前記本体側接続端子Ｔ′およびオプション側接続端子Ｔは着脱自在な接続端子を有する接続ケーブルにより接続されている。
【００４１】
（コントローラＣ′に接続された信号入力要素）
前記コントローラＣ′にはＵＩ′（ユーザインタフェース）からの信号および温度センサ等の各種センサ（図示せず）の検出信号等が入力されている。
【００４２】
（コントローラＣ′に接続された被制御要素）
前記コントローラＣ′には、像担持体ＰＲ、中間転写ベルトＢ、各現像器Ｇy，Ｇm，Ｇc，Ｇkの現像ロール、定着装置Ｆ′の加熱ロールＦｈ′等の駆動モータの駆動回路（図示せず）、１次転写ロールＴ１および２次転写ロールＴ２ｂの転写電源（図示せず）等の被制御要素が接続されており、コントローラＣ′は、それらの制御信号を出力している。
【００４３】
（コントローラＣ′の機能）
コントローラＣ′は、前記信号入力要素（前記ＵＩ′（ユーザインタフェース）の各種キーＵＩ3〜ＵＩ5）からの入力信号に応じた処理を実行して、前記被制御要素に制御信号を出力する機能を有している。また、本実施例のコントローラＣ′は次の機能を実現する手段Ｃ１′を有している。
定着用オプション装置制御信号出力手段Ｃ１′
定着用オプション装置制御信号出力手段Ｃ１′は次の手段Ｃ１ａ′〜Ｃ１ｄ′を有している。
（ジョブ開始信号出力手段Ｃ１ａ′）
ジョブ開始信号出力手段Ｃ１ａ′は画像形成装置Ｕ１のコピースタートキーＵ１3がオンになったときに定着用オプション装置Ｕ３にジョブが開始されたことを通知する信号を出力する。
（ジョブ終了信号出力手段Ｃ１ｂ′）
ジョブ終了信号出力手段Ｃ１ｂ′は画像形成装置Ｕ１のコピースタートキーＵ１3がオンになってから開始したジョブが終了したときに定着用オプション装置Ｕ３にジョブが終了したことを通知する信号を出力する。
ジョブ終了信号出力手段Ｃ１
【００４４】
（定着動作指令信号出力手段Ｃ１ｃ′）
定着動作指令信号出力手段Ｃ１ｃ′は、画像形成装置Ｕ１のユーザインタフェースＵＩ′の光沢モード選択キーＵＩ4が入力された場合にはジョブ開始時に定着用オプション装置Ｕ３に定着動作指令信号（定着動作の実行を指令する信号）を出力する。
【００４５】
（定着非動作指令信号出力手段Ｃ１ｄ′）
定着非動作指令信号出力手段Ｃ１ｄ′は、画像形成装置Ｕ１のユーザインタフェースＵＩ′の光沢モード選択キーＵＩ4が入力されていない場合にはジョブ開始時に定着用オプション装置Ｕ３に定着非動作指令信号（定着動作の実行しないことを指令する信号）を出力する。
なお、定着非動作指令信号出力手段Ｃ１ｄ′を省略して定着非動作指令信号を出力しないように構成することが可能である。その場合は、定着用オプション装置Ｕ３の初期設定を定着動作を実行しない状態に設定しておき、前記定着動作指令信号出力手段Ｃ１ｃ′が定着動作指令信号（定着動作の実行を指令する信号）を出力した場合にのみ定着用オプション装置Ｕ３が定着動作を行い、それ以外の場合には定着動作を行わないように構成しておけばよい。
【００４６】
（コントローラＣに接続された信号入力要素）
定着用オプション装置Ｕ３にはＵＩ（ユーザインタフェース）が設けられており、ＵＩは電源スイッチＵＩa、表示器ＵＩb、定着実行指定スイッチＵＩcが設けられており、前記ＵＩ（ユーザインタフェース）および前記画像形成装置Ｕ１のコントローラＣ′は、定着用オプション装置Ｕ３のコントローラＣに接続されている。
前記定着実行指定スイッチＵＩcが入力された場合にはその入力信号はコントローラＣに入力される。
また、前記画像形成装置Ｕ１のＵＩ′（ユーザインタフェース）の光沢モード選択キーＵＩ4が入力された場合には定着用オプション装置制御信号がコントローラＣ′からコントローラＣに入力されるように構成されている。
【００４７】
（コントローラＣに接続された被制御要素）
コントローラＣは、ソレノイド駆動回路ＤＬ、シート搬送用モータ駆動回路Ｄ１等に接続されており、それらの作動制御信号を出力している。
ソレノイド駆動回路ＤＬ：
ソレノイド駆動回路ＤＬはソレノイドＳＬを駆動して切替ゲートＧ３を第１切替位置（シートを第１シート搬送路ＳＨ6に搬送する位置）と第２切替位置（シートを第２シート搬送路ＳＨ７のベルト式定着装置Ｆに搬送する位置）との間で移動させる。
（シート搬送用モータ駆動回路Ｄ１）
シート搬送用モータ駆動回路Ｄ１はモータＭ１を駆動して搬入ローラＲ１、排出ローラＲ２、搬送ローラＲ３、搬送ローラＲ４、排出ローラＲ５、加熱ロールＦｈ′および定着ベルトＢｔをそれぞれ回転させる。
【００４８】
（前記コントローラＣの機能）
前記コントローラＣは、前記信号入力要素（前記画像形成装置Ｕ１のコントローラＣ′および定着実行指定スイッチＵＩc）からの入力信号に応じた処理を実行して、前記被制御要素（ソレノイド駆動回路ＤＬおよびシート搬送用モータ駆動回路Ｄ１）に制御信号を出力する機能を有している。
すなわち、コントローラＣは次の機能を有している。
Ｃ１：搬送路切替制御手段
搬送路切替制御手段Ｃ１は、光沢モード選択キーＵＩ3の信号が入力されたコントローラＣ′からの信号、または定着実行指定スイッチＵＩcの信号に応じてソレノイド駆動回路ＤＬに対して制御信号を出力し、切替ゲートＧ３を第１切替位置から第２切替位置（シートをベルト式定着装置Ｆに搬送する位置）に切り替える。
【００４９】
Ｃ２：シート搬送速度制御手段
シート搬送速度制御手段Ｃ２は、コントローラＣ′からの定着用オプション装置制御信号の入力に応じてシート搬送用モータ駆動回路Ｄ１に対して制御信号を出力して、モータＭ１を駆動し、シート搬送部材（搬入ローラＲ１、排出ローラＲ２、搬送ローラＲ３、搬送ローラＲ４、排出ローラＲ５、加熱ロールＦｈおよび定着ベルトＢｔ）を回転させる。
なお、ベルト式定着装置Ｆの定着動作を実行しないときは、前記シート搬送部材（Ｒ１，Ｒ２，Ｒ３，Ｒ４，Ｒ５，ＦｈおよびＢｔ）は、画像形成装置Ｕ１の加熱ロールＦｈおよび排出ローラＲｈと同一のシート搬送速度（同一周速度）で回転するし、ベルト式定着装置Ｆの定着動作を実行するときには定着動作用の所定のシート搬送速度で回転する。
【００５０】
（実施例１の作用）
前記構成を備えた本発明の定着用オプション装置の実施例１では、画像形成装置Ｕ１の画像形成装置Ｕ１に定着用オプション装置Ｕ３が連結された状態で、本体側接続端子Ｔ′とオプション側接続端子Ｔとを電気的に接続して使用する。
（１）通常モード（非光沢モード）の場合
画像形成装置Ｕ１のユーザインタフェースＵＩ′の光沢モード選択キーＵＩ4が入力されていない場合、前記画像形成装置Ｕ１のコントローラＣ′は、画像形成装置Ｕ１の作動を通常モード（非光沢モード）用に設定された画像形成スピードで画像記録を行う（記録シートを搬送する）と同時にコントローラＣに定着用オプション装置制御信号（ジョブ開始通知信号、ジョブ終了通知信号、定着非動作指令信号）を出力する。これらの信号は、コントローラＣ′から本体側接続端子Ｔ′およびオプション側接続端子Ｔを接続するケーブルを介してコントローラＣに送信される。
【００５１】
すなわち、本実施例では、初期設定モードは通常モードが設定されているので、画像形成装置Ｕ１のＵＩ′（ユーザインタフェース）の光沢モード選択キーＵＩ4の入力が無い場合は、画像形成装置Ｕ１のコントローラＣ′および定着用オプション装置Ｕ３のコントローラＣは通常モード（非光沢モード）に応じたシート搬送速度で記録シートを搬送する。
このとき、切替ゲートＧ３は初期設定された位置である第１切替位置（記録シートを第１シート搬送路ＳＨ6から上面排出トレイ５に排出する位置）に保持される。したがって、画像形成装置Ｕ１のシート排出口Ｋａからシート搬入口２ａに搬入された記録シートは、上面排出トレイ５に排出される。このとき、定着用オプション装置Ｕ３のコントローラＣは、定着用オプション装置Ｕ３内のシート搬送部材（搬入ローラＲ１、排出ローラＲ２、搬送ローラＲ３、搬送ローラＲ４、排出ローラＲ５、加熱ロールＦｈ′お定着ベルトＢｔ）を、画像形成装置Ｕ１の加熱ロールＦｈ、排出ローラＲｈと同じ周速度で回転させる。
【００５２】
（２）光沢モードの場合
画像形成装置Ｕ１のユーザインタフェースＵＩ′の光沢モード選択キーＵＩ4が入力されている場合、前記画像形成装置Ｕ１のコントローラＣ′は、画像形成装置Ｕ１の作動を光沢モード用に設定された画像形成スピードで画像記録を行う（記録シートを搬送する）と同時にコントローラＣに定着用オプション装置制御信号（ジョブ開始通知信号、ジョブ終了通知信号、定着動作指令信号）を出力する。これらの信号は、コントローラＣ′から本体側接続端子Ｔ′およびオプション側接続端子Ｔを接続するケーブルを介してコントローラＣに送信される。
このとき、定着用オプション装置Ｕ３のコントローラＣは、搬送路切替制御手段Ｃ１によりソレノイド駆動回路ＤＬを作動させて、切替ゲートＧ３を第２切替位置（第２シート搬送路ＳＨ７からシートをベルト式定着装置Ｆに記録シートを搬送する位置）に切り替えると同時に、定着用オプション装置Ｕ３内のシート搬送部材（Ｒ１，Ｒ２，Ｒ３，Ｒ４，Ｒ５，ＦｈおよびＢｔ）を画像形成装置Ｕ１と同じシート搬送速度で回転させる。
【００５３】
また、コントローラＣは、定着用オプション装置Ｕ３内に搬入された記録シート後端が画像形成装置Ｕ１の排出ローラＲｈを通過して、記録シートの先端がベルト式定着装置Ｆ上流側のシートセンサＳＮ１で検出されたときに、前記シート搬送部材（Ｒ１，Ｒ２，Ｒ３，Ｒ４，Ｒ５，ＦｈおよびＢｔ）の回転速度を光沢用定着を行うのに適した回転速度に変更する。
前記定着領域Ｑ６を通過する記録シートはトナー像が加熱定着されて、定着ベルトＢｔに密着した状態で定着領域Ｑ６の下流のシートガイド９に沿って移動する。このとき、記録シートＳのトナー像が定着され且つ冷却されてから剥離爪１２で剥離されるので、光沢のあるトナー像が得られる。
本実施例１の定着用オプション装置Ｕ３を使用する場合、画像形成装置Ｕ１に、記録シートＳを定着用オプション装置Ｕ３に搬送するためのシート搬送路および搬送路切替部材等を設ける必要がないとともに、画像形成装置Ｕ１側でプロセス速度を変える必要もない。したがって、画像形成装置Ｕ１が大型化、コストアップすることもない。
【００５４】
また、本実施例１の定着用オプション装置Ｕ３は、接続された画像形成装置Ｕ１が、前記光沢モード選択キーＵＩ4および定着動作指令信号出力手段Ｃ１ｃ′の機能を有していない場合でも、定着用オプション装置Ｕ３のＵＩ（ユーザインタフェース）の定着実行指定スイッチＵＩｃを入力することにより、前記画像形成装置Ｕ１の定着動作指令信号出力手段Ｃ１ｃ′から定着動作指令信号が入力された場合と同様の動作をするように構成されている。したがって、本実施例１の定着用オプション装置Ｕ３は、接続された画像形成装置Ｕ１が、前記光沢モード選択キーＵＩ4および定着動作指令信号出力手段Ｃ１ｃ′の機能を有していない画像形成装置に連結して使用することも可能である。
また、本実施例１では、定着用オプション装置Ｕ３が連結される画像形成装置Ｕ１のシート搬送制御を、定着用オプション装置Ｕ３の連結の有無によって変更する必要がない。
【００５５】
（実施例１のフローチャート）
図４は前記実施例１の画像形成装置Ｕ１の定着用オプション装置制御信号出力処理のフローチャートを示す図である。
図４のフローチャートの各ステップの処理は、前記コントローラＣ′のＲＯＭに記憶されたプログラムに従って行われる。また、この図４に示す処理は、電源オンにより開始されるとともに、画像形成装置本体Ｕ３の他の各種処理と並行してマルチタスクで実行される。
図４のＳＴ１（ステップ１）において、コピースタートキーがオンされたか否か判断する。ノー（Ｎ）の場合はＳＴ１を繰り返し実行する。ＳＴ１においてイエス（Ｙ）の場合はＳＴ２に移る。
【００５６】
ＳＴ２において光沢モードか否か判断する。この判断はコントローラＣ′の光沢モード選択キーＵＩ4が入力されたか否かにより判断する。ノー（Ｎ）の場合は、光沢モードでないので普通の画像記録を行うことになる。この場合はＳＴ３に移る。
ＳＴ３において次の処理を実行する。
（１）定着用オプション装置Ｕ３にジョブ開始通知信号を出力する。
（２）定着用オプション装置Ｕ３に、定着非動作指令信号（定着装置を実行しないことを指令する信号）を出力する。
【００５７】
ＳＴ２においてイエス（Ｙ）の場合はＳＴ４に移る。
ＳＴ４において次の処理を実行する。
（１）定着用オプション装置Ｕ３にジョブ開始通知信号を出力する。
（２）定着用オプション装置Ｕ３に、定着動作指令信号（定着装置を実行することを指令する信号）を出力する。
前記ＳＴ３およびＳＴ４の次にＳＴ５に移る。
ＳＴ５においてジョブが終了したか否か判断する。ノー（Ｎ）の場合はＳＴ５を繰り返し実行する。イエス（Ｙ）の場合はＳＴ６に移る。
ＳＴ６においてジョブ終了通知信号を定着用オプション装置Ｕ３に出力する。
次に前記ＳＴ１に戻る。
【００５８】
図５は定着用オプション装置のシート搬送速度制御処理のフローチャートである。この処理は定着用オプション装置Ｕ３の電源オンと同時に開始される。
ＳＴ１１において画像形成装置Ｕ１からジョブ開始通知信号が入力されたか否か判断する。ノー（Ｎ）の場合はＳＴ１１を繰り返し実行する。イエス（Ｙ）の場合はＳＴ１２に移る。
ＳＴ１２において定着用オプション装置Ｕ３のユーザインタフェースＵＩの定着実行指定スイッチＵＩcが入力されたか否か判断する。ノー（Ｎ）の場合はＳＴ１３に移る。
【００５９】
ＳＴ１３において画像形成装置Ｕ１から定着動作指令信号が入力されたか否か判断する。
前記ＳＴ１３においてノー（Ｎ）の場合はＳＴ１４に移る。
ＳＴ１４において切替ゲートＧ３を第１切替位置に保持する。
次にＳＴ１５において定着用オプション装置Ｕ３のシート搬送部材（シート搬送ローラＲ１〜Ｒ５および定着ベルトＢｔ）を画像形成装置Ｕ１のシート排出速度と同一の搬送速度で作動させる。
次にＳＴ１６においてジョブ終了通知信号が入力されたか否か判断する。ノー（Ｎ）の場合はＳＴ１６を繰り返し実行する。イエス（Ｙ）の場合はＳＴ２２に移る。
前記ＳＴ１２でイエス（Ｙ）の場合および前記ＳＴ１３でイエス（Ｙ）の場合はＳＴ１７に移る。
ＳＴ１７において定着用オプション装置Ｕ３の切替ゲートＧ３を第２切替位置に保持する。次にＳＴ１８に移る。
【００６０】
ＳＴ１８において定着用オプション装置Ｕ３のシート搬送部材（シート搬送ローラＲ１〜Ｒ５および定着ベルトＢｔ）を画像形成装置Ｕ１のシート排出速度と同一の搬送速度で作動させる。次にＳＴ１９に移る。
ＳＴ１９においてシートセンサＳＮ１がオンしたか否か判断する。ノー（Ｎ）の場合はＳＴ１９を繰り返し実行する。
ＳＴ１９においてイエス（Ｙ）になるとＳＴ２０に移る。
ＳＴ２０において定着用オプション装置Ｕ３のシート搬送部材（シート搬送ローラＲ１〜Ｒ５および定着ベルトＢｔ）を所定の定着速度（光沢を持った画像が得られる定着速度）で作動させる。次にＳＴ２１に移る。
ＳＴ２１においてシートセンサＳＮ２がオフしたか否か判断する。ノー（Ｎ）の場合はＳＴ２１を繰り返し実行する。イエス（Ｙ）になるとＳＴ２２に移る。
【００６１】
ＳＴ２２においてジョブ終了通知信号が入力されたか否か判断する。ノー（Ｎ）の場合は前記ＳＴ１８に戻る。ＳＴ２２においてイエス（Ｙ）の場合はＳＴ２３に移る。
ＳＴ２３において次の処理を実行する。
（１）切替ゲートＧ３を第１切替位置に保持する。
（２）定着用オプション装置Ｕ３のシート搬送部材（シート搬送ローラＲ１〜Ｒ５および定着ベルトＢｔ）を停止する。
次に前記ＳＴ１１に戻る。
【００６２】
（実施例２）
図６は画像形成装置に接続された定着用オプション装置の実施例２の説明図で、前記実施例１の図２に対応する図である。
図７は本発明の実施例２の定着用オプション装置およびそれが接続された画像形成装置の制御部のブロック線図である。
なお、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
【００６３】
図６において、実施例２の定着用オプション装置Ｕ３は、前記画像形成装置Ｕ１の排出ローラＲｈとベルト式定着装置Ｆとの間のシート搬送路の距離は、使用される最大サイズの記録シートの長さよりも短く設定されている。
また図７において、モータＭ１により駆動される搬入ローラＲ１、排出ローラＲ２、搬送ローラＲ３のシート搬送速度（周速度）は画像形成装置Ｕ１の排出ローラＲｈのシート搬送速度と同一に設定されているが、搬送ローラＲ４、加熱ロールＦｈおよび定着ベルトＢｔのシート搬送速度（周速度）は減速されており、光沢定着速度（光沢を持つように定着するシート搬送速度で、画像形成装置Ｕ１の排出ローラＲｈのシート搬送速度よりも低い速度）に設定されている。
なお、本実施例２ではシートセンサＳＮ１，ＳＮ２はジャム検知用に使用されているだけで、シート搬送速度の制御には使用されていない。
【００６４】
（実施例２のフローチャートの説明）
本実施例２の画像形成装置Ｕ１のシート搬送処理は前記実施例１の図４に示す処理と同じである。
図８は実施例２の定着用オプション装置のシート搬送速度制御処理のフローチャートであり、前記実施例１の図５に示すフローチャートに対応する図である。この図８に示す処理は定着用オプション装置Ｕ３の電源オンと同時に開始される。
図８において、前記実施例１の図５に示すＳＴ１５およびＳＴ１８の代わりに、ＳＴ１５′（ＳＴ１８′）の処理が設けられており、また、ＳＴ１６およびＳＴ２２の代わりに、ＳＴ１６′（ＳＴ２２′）の処理が設けられている。そして、前記実施例１の図５に示すＳＴ１９〜ＳＴ２１が省略されている。
【００６５】
図８において、ＳＴ１１でイエス（Ｙ）の場合（ジョブ開始通知信号が画像形成装置Ｕ１から入力された場合）には、ＳＴ１２でＵＩｃ（定着実行指定スイッチ）がオンでない場合またはＳＴ１３で定着動作指令信号が入力されていない場合にはゲートＧ３を第１切替え位置に保持する。そして、ＳＴ１５′（ＳＴ１８′）において、シート搬送部材（Ｒ１，Ｒ２，Ｒ３，Ｒ４，Ｒ５，ＦｈおよびＢｔ）を駆動する。このとき、シート搬送部材（Ｒ１，Ｒ２，Ｒ３）は画像形成装置Ｕ１のシート排出ローラＲｈと同一のシート搬送速度で駆動されるが、シート搬送部材（Ｒ４，Ｒ５，ＦｈおよびＢｔ）は光沢定着速度に対応したシート搬送速度（シート搬送部材（Ｒ１，Ｒ２，Ｒ３）より低い速度）で駆動される。
したがって、定着用オプション装置Ｕ３に搬入された記録シートは、図６に示すように、搬送ローラＲ３とＲ４との間で２点鎖線で示すようにループを形成する。
【００６６】
本実施例２では定着用オプション装置Ｕ３のシート搬送路を前記実施例１に比較して短く形成することができるので、定着用オプション装置Ｕ３を小型化することができる。また、定着用オプション装置Ｕ３内部のシート搬送速度を、実施例１のようにシート搬送途中で変更する必要が無いのでシート搬送部材の速度制御が簡単になる。
また、第２シート搬送路ＳＨ７の搬送ローラＲ３と搬送ローラＲ４との間にループを形成する空間を設けることにより、定着用オプション装置Ｕ３の搬送方向幅を小さくすることが可能になる。
【００６７】
（実施例３）
図９は本発明の定着用オプション装置の実施例３に後処理装置が連結された状態の説明図である。
なお、この実施例３の説明において、前記実施例１の構成要素に対応する構成要素には同一の符号を付して、その詳細な説明を省略する。
この実施例３は、下記の点で前記実施例１と相違しているが、他の点では前記実施例１と同様に構成されている。
定着用オプション装置Ｕ３には、ケース１の右側壁３の上部にシート排出口３ｂが形成されている。第２シート搬送路ＳＨ７はベルト式定着装置Ｆのシート搬送方向下流側から前記シート排出口３ｂの間に設けられており、第２シート搬送路ＳＨ７には搬送ローラＲ５１，Ｒ５２およびシート排出ローラＲ５３が配置されている。
【００６８】
第１シート搬送路ＳＨ６は切替ゲート３から前記シート排出ローラＲ５３の間に設けられており、第１シート搬送路ＳＨ６には搬送ローラＲ２１，Ｒ２２が配置されている。
前記画像形成装置Ｕ１の排出ローラＲｈとベルト式定着装置Ｆの定着領域Ｑ６との間の記録シートＳを搬送するシート搬送距離は使用される最大サイズの記録シートＳの長さよりも長くなっている。
図９において、定着用オプション装置Ｕ３には、後処理装置Ｕ４が連結されており、画像形成装置Ｕ１から定着用オプション装置Ｕ３に搬入された記録シートは、第１シート搬送路ＳＨ６を素通りするか、または第２シート搬送路ＳＨ７を通って光沢を有するように定着されてから後処理装置Ｕ４に排出される。
【００６９】
後処理装置Ｕ４は図示しないステープラ（綴じ装置）またはパンチ（孔開け装置）等を備えている。前記後処理装置Ｕ４の外壁にはシート搬入口２１、シート排出口２２，２３が形成されている。シート搬入口２１から搬入された記録シートは、後処理を行わない場合には搬入ローラＲ６および排出ローラＲ７によりシート排出口２２からシート排出トレイＴＲ６に排出され、後処理を行う場合には搬入ローラＲ６および排出ローラＲ８によりコンパイルトレイＴＲ７に排出され、コンパイルトレイＴＲ７でステープラにより綴じられた後にシート排出口２３からシート排出トレイＴＲ８に排出される。
【００７０】
（実施例３の作用）
前記構成を備えた本発明の定着用オプション装置の実施例３では、前記実施例１の定着用オプション装置Ｕ３と同様に動作するが、定着用オプション装置Ｕ３に搬入された記録シートは、第１シート排出路ＳＨ６または第２シート排出路ＳＨ７のいずれを通過しても、同一のシート排出口３ｂから後処理装置Ｕ４に排出される。
そして、後処理装置Ｕ４により後処理（ステープラによる綴じ作業、パンチによる孔開け作業等）を行うことができる。
【００７１】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更実施例を下記に例示する。
（Ｈ01）前記実施例２（図６〜図８参照）では、図８のＳＴ１５′において、シート搬送部材（Ｒ１，Ｒ２，Ｒ３）を画像形成装置Ｕ１のシート排出ローラＲｈと同一のシート搬送速度で駆動すると同時に、シート搬送部材（Ｒ４，Ｒ５，ＦｈおよびＢｔ）を光沢定着速度に対応したシート搬送速度（シート搬送部材（Ｒ１，Ｒ２，Ｒ３）より低い速度）で駆動しているが、シート搬送部材（Ｒ４，Ｒ５，ＦｈおよびＢｔ）の駆動は、記録シートが定着装置（Ｆ）に近い所定位置に搬送されて来るまでは、シート搬送部材（Ｒ１，Ｒ２，Ｒ３）と同一速度で駆動するとともに、記録シートが前記所定位置に来てから低い速度に駆動するようにすることも可能である。また、シート搬送部材（Ｒ４，Ｒ５，ＦｈおよびＢｔ）の駆動は、記録シートが定着装置（Ｆ）に近い所定位置に搬送されて来るまでの間、停止させておくことも可能である。
（Ｈ02）光沢画像を形成するために使用されるベルト式定着装置では記録シートＳとして片面コーテングのコート紙使用される場合が多い。このような片面コーテングの記録シートの両面に画像を形成する際、一面に単色画像を形成し他面にカラー画像を形成する場合には、画像形成装置Ｕ１の定着装置Ｆ′により記録シートのコートされていない面に単色トナー像を定着し、コート面にカラートナー像を定着させてから、定着用オプション装置Ｕ３のベルト式定着装置Ｆで記録シートＳのコート面のカラートナー像を加熱定着することにより、光沢の必要な画像に光沢を与えることができる。
（Ｈ03）前記各実施例において、定着用オプション装置Ｕ３のシート搬入口内側にシートセンサを設けるとともにＵＩ（ユーザインタフェース）にジョブ開始スイッチおよびジョブ終了スイッチを設けた場合、定着用オプション装置Ｕ３に接続された画像形成装置Ｕ１が定着用オプション装置制御信号出力手段Ｃ１′を持たない場合でも、光沢のある画像を形成することができるようになる。
（Ｈ04）本発明はロータリー式以外の画像形成装置に適用可能である。
【００７２】
【発明の効果】
前述の本発明の定着用オプション装置は、下記の効果（Ｅ01）〜（Ｅ03）を奏することができる。
（Ｅ01）光沢トナー像を定着できない画像形成装置で光沢トナー像を形成することができる。
（Ｅ02）画像形成装置の通常使用するシート排出口から排出される記録シートのトナー像に対して所望の定着を行える定着用オプション装置を提供することができる。
（Ｅ03）定着用オプション装置が連結される画像形成装置のシート搬送制御を、定着用オプション装置の連結の有無によって変更する必要がない定着用オプション装置を提供することが可能となる。
【図面の簡単な説明】
【図１】  図１は本発明の定着用オプション装置の実施例１が接続された画像形成装置の説明図である。
【図２】  図２は画像形成装置に接続された本発明の定着用オプション装置の実施例１の説明図である。
【図３】  図３は画像形成装置およびそれに接続された本発明の定着用オプション装置の実施例１の制御部のブロック線図である。
【図４】  図４は前記実施例１の画像形成装置Ｕ１の定着用オプション装置制御信号出力処理のフローチャートを示す図である。
【図５】  図５は定着用オプション装置のシート搬送速度制御処理のフローチャートである。この処理は定着用オプション装置Ｕ３の電源オンと同時に開始される。
【図６】  図６は画像形成装置に接続された定着用オプション装置の実施例２の説明図で、前記実施例１の図２に対応する図である。
【図７】  図７は本発明の実施例２の定着用オプション装置およびそれが接続された画像形成装置の制御部のブロック線図である。
【図８】  図８は実施例２の定着用オプション装置のシート搬送速度制御処理のフローチャートであり、前記実施例１の図５に示すフローチャートに対応する図である。
【図９】  図９は本発明の定着用オプション装置の実施例３に後処理装置が連結された状態の説明図である。
【符号の説明】
Ｃ２…シート搬送速度制御手段、Ｆ…ベルト式定着装置、Ｆ′…定着装置、Ｇ３…搬送路切替部材、ＰＲ…感光体、Ｓ…記録シート，ＳＨ６…第１シート搬送路、ＳＨ７…第２シート搬送路、ＳＬ…切替部材作動部材、Ｔ′…本体側接続端子、Ｔ…オプション側接続端子、Ｕ１…画像形成装置、Ｕ３…定着用オプション装置、ＵＩｃ…定着実行指定スイッチ、
【図１】
0003692941.tif 000002
【図２】
0003692941.tif 000003
【図３】
0003692941.tif 000004
【図４】
0003692941.tif 000005
【図５】
0003692941.tif 000006
【図６】
0003692941.tif 000007
【図７】
0003692941.tif 000008
【図８】
0003692941.tif 000009
【図９】
0003692941.tif 000010